(57)【要約】  本発明は、スライド又はガイドチャンネル（１）のための固定装置（２）に関する。この固定装置はスライド又はガイドチャンネル（１）の異形材（４）内へ端面で挿入されたクランプ部材（５）から成っており、このクランプ部材（５）は接続プレート（８）と一体的に形成されている。本発明は、クランプ部材（５）が少なくとも１つの外壁（９）に、スライド又はガイドチャンネル（１）の異形材（４）の内壁（１０）にプレス嵌め下に接触する歯列（１１）を有していることを特徴とする。
2007523277.tif 000002
【特許請求の範囲】
【請求項１】
スライド又はガイドチャンネル（１）、特にドアクローザのためのスライド又はガイドチャンネルのための固定装置（２）であって、スライド又はガイドチャンネル（１）の異形材（４）内へ端面で解除可能に挿入された、該異形材（４）により緊締されたクランプ部材（５）と、該クランプ部材（５）と一体的に形成された、異形材（４）の端面の制限部（６）の外部に配置された、下部構造体（３）に接続するための孔（７）を有する接続プレート（８）とから成っている形式のものにおいて、クランプ部材（５）が、少なくとも１つの外壁（９）に、スライド又はガイドチャンネル（１）の異形材（４）の内壁にプレス嵌め下に接触する歯列（１１）を有していることを特徴とする、固定装置（２）。
【請求項２】
クランプ部材（５）が、直線上に向かい合った２つの外壁（９，１２）に、異形材（４）の向かい合った２つの内壁（１０，１３）に接触する歯列（１１）を有している、請求項１記載の固定装置。
【請求項３】
歯列（１１）が、傾斜歯列の形で形成されている、請求項１又は２記載の固定装置。
【請求項４】
接続プレート（８）が、異形材（４）の端面（１４）に接触するストッパ面（１５）を有している、請求項１から３までのいずれか１項記載の固定装置。
【請求項５】
接続プレート（８）の、下部構造体（３）に接触する面（１６）が、異形材（４）の、下部構造体（３）に向いている方の外壁（１７）と同一平面上に延びている、請求項１から４までのいずれか１項記載の固定装置。
【請求項６】
接続プレート（８）が、該接続プレート（８）に被せ嵌められ、異形材（４）を端面でカバーするカバーキャップ（１８）とのクランプ結合のためのロックエレメントを有している、請求項１から５までのいずれか１項記載の固定装置。
【請求項７】
接続プレート（８）が、下部構造体（３）に接触する面（１６）に対して直角に延びる向かい合った側面（１９）に突出部（２０）及び／又は凹部を有している、請求項６記載の固定装置。
【請求項８】
接続プレート（８）の、向かい合った側面（１９）に配置された突出部（２０）が、カバープレート（１８）に配置された凹部（２１）のための相補的なロックエレメントを形成している、請求項７記載の固定装置。
【請求項９】
接続プレート（８）内の孔（７）が、長孔の形で形成されている、請求項１から８までのいずれか１項記載の固定装置。
【請求項１０】
固定装置（２）が、プラスチックから成っている、請求項１から９までのいずれか１項記載の固定装置。
【請求項１１】
固定装置（２）が、アルミニウム素材から成っている、請求項１から９までのいずれか１項記載の固定装置。
【請求項１２】
固定装置（２）が、亜鉛ダイカストから成っている、請求項１から９までのいずれか１項記載の固定装置。
【発明の詳細な説明】
【技術分野】
【０００１】
本発明は、例えば特にドアクローザのために使用される、スライド又はガイドチャンネルのための固定装置に関する。上位概念部に記載のスライドチャンネル内では、例えばドアクローザのスライドブロックがガイドされる。スライドブロックはドアクローザのアームに結合されているので、スライドチャンネルは実質的にＣ字形に形成されている。すなわち、スライドチャンネルは側方の開口を有しており、この開口内には、ドアクローザのアームが、対応配置されたスライドブロックにより係合することができる。スライドアーム自体はドア又はフレームに固定される。このためには、公知のようにスライドチャンネルの端面に配置された固定装置が働く。この固定装置は、スライドチャンネル内に嵌め込まれるクランプ部材と、スライドチャンネルの異形材の外部でクランプ部材に一体的に結合された接続プレートとを有している。この接続プレートは孔を有しており、この孔により、接続プレート、ひいてはスライドチャンネルをドア又はフレームに固定することができる。スライドチャンネル内に端面で嵌め込まれるクランプ部材とスライドチャンネルとの間のロックは、公知の装置ではクランプ部材に貫通係合する締付けねじにより得られる。この締付けねじは、クランプ部材とスライドチャンネルとの間の緊締を可能にする。このためには、一方ではクランプ部材内にねじ山付き孔が必要であり、このねじ山付き孔は視覚的な理由から付加的に凹部を必要とする。他方では、外側から認識可能な固定ねじでは意図的でない自動解除の危険性が生じる。
【０００２】
本発明の課題は、冒頭で述べた上位概念部の固定装置を広範囲に改善して、コストがかかり、クランプ部材とスライド又はガイドチャンネルとの間の視覚的に邪魔になるねじ込み結合を省略することができるようにすることである。本発明の有利な別の構成では、固定装置が次のように形成されていることが望ましい。すなわち、固定装置ひいてはスライド又はガイドチャンネルの異形材の端面の制限部の技術的に簡単で視覚的に魅力のあるカバーを可能にすることである。
【０００３】
本発明は、この課題を請求項１による理論により解決している。
【０００４】
これによれば、クランプ部材は少なくとも１つの外壁に、スライド又はガイドチャンネルの異形材の内壁にプレス嵌め下に接触する歯列を有している。この歯列は、本発明の有利な構成では直径上に向かい合った２つの外壁により異形材の向かい合った２つの内壁に接触している。
【０００５】
前記技術的な理論によれば、接続プレートに一体的に形成されたクランプ部材を、クランプ部材とガイドチャンネルとの間のねじ込み結合を必要とすることなしに、スライド又はガイドチャンネル内へ端面で摩擦接続的（ｋｒａｆｔｓｃｈｌｕｅｓｓｉｇ）に圧入することができる。
【０００６】
本発明の別の有利な構成が従属請求項の対象である。
【０００７】
クランプ部材の歯列は、有利には傾斜歯列の形で形成されており、この場合に歯列の傾斜は次のように形成されている、すなわち、異形材内へクランプ部材を圧入するためには、異形材からのクランプ部材の基本的に可能な取外しのために必要とされる、より高い力投入よりもわずかな力投入のみが必要とされるように形成されている。これにより、異形材内でクランプ部材の確実なロックが保証されている。
【０００８】
クランプ部材と一体的に形成された接続プレートがストッパ面を有しており、このストッパ面は、クランプ部材が異形材内へ完全に挿入された場合に異形材の端面に対して当接せしめられ、ひいては異形材内のクランプ部材の位置を固定する。
【０００９】
さらに接続プレートは、次のように、すなわち、接続プレートの、下部構造体に接触する面が、異形材の、下部構造体に向いている方の外壁と同一平面上の延びているように形成されている。
【００１０】
本発明の特に有利な構成では、接続プレートは、この接続プレート被せ嵌められ、異形材を端面でカバーするカバーキャップとのクランプ結合のためのロックエレメントを有している。この場合に接続プレートは、下部構造体に接触する面に対して直角に延びる向かい合った側面に突出部及び／又は凹部を有しており、この場合に有利には接触プレートの向かい合った側面に配置されたこれらの突出部は、カバーキャップに配置された凹部のための相補的なロックエレメントを形成している。したがって、接続プレートはスライド又はガイドチャンネルを下部構造体に固定するためにのみ働くのではない。接続プレートはさらにカバーキャップのための相補的なロックエレメントを有しており、このロックエレメントは、接続プレートのためにも、スライド又はガイドチャンネルの異形材の端面を完全にカバーするためにもカバーを形成している。
【００１１】
公知のように、接続プレート内の孔は長孔の形で形成されており、これにより、スライド又はガイドチャンネルを下部構造体に接続する場合に大きい許容差を補償することができる。
【００１２】
スライド又はガイドチャンネルは、通常はアルミニウム合金から成っている。しかしながら、基本的には任意の材料から作製されていてよい。クランプ部材の歯列と、スライド又はガイドチャンネルの異形材との間には十分な摩擦接続が必要なので、固定装置、すなわち、特にクランプ部材は材料選択に関して、スライド又はガイドチャンネルの材料選択に適合されている必要がある。これにより、本発明の構成には、固定装置のためには適宜なプラスチック、アルミニウム素材又は亜鉛ダイカストを使用する必然性が生じうる。
【００１３】
発明を実施するための最良の形態
次に本発明の実施の形態を図面につきさらに詳しく説明する。
【００１４】
図面によれば、スライドチャンネル１の異形材４の端面の、制限部６の領域内には固定装置２が配置されている。この固定装置２は、主にクランプ部材５と、孔７を設けられた接続プレート８とから成っている。特に図２から判るように、クランプ部材５は直径上に向かい合った２つの側に傾斜歯列の形で形成された歯列１１を有しており、この歯列１１は図２による実施例では、図平面で見て異形材４の上側の内壁１０と下側の内壁１３とに位置している。歯列１１は、それぞれクランプ部材５の直径上に向かい合った外壁１２に形成されている。クランプ部材５と一体的に形成された接続プレート８が、クランプ部材５が異形材４内へ挿入された場合に、ストッパ面１５によりスライドチャンネル１の端面１４に接触し、これにより、クランプ部材５を所定の位置で固定する。接続プレート８の、下部構造体３に向いている方の面１６が、異形材４の、下部構造体３に向いている方の外壁１７と同一平面上に延びている。
【００１５】
特に図５から判るように、接続プレート８の向かい合った側壁１９には突出部２０が形成されており、これらの突出部２０はカバーキャップ１８の凹部２１（図７及び図８参照）によりオーバラップされており、これにより、カバーキャップ１８の凹部２１は、接続プレート８の突出部２０に対して相補的なロックエレメントを形成している。
【図面の簡単な説明】
【００１６】
【図１】スライドチャンネル内の固定装置の端面を示す図である。
【図２】図１のＩＩ−ＩＩ線に沿った断面図である。
【図３】図１による固定装置の側面図である。
【図４】図３による固定装置の平面図である。
【図５】固定装置の斜視図である。
【図６】固定装置及びカバーキャップを有するスライドチャンネルの展開斜視図である。
【図７】図６によるカバーキャップのＶＩＩ−ＶＩＩ線に沿った断面図である。
【図８】図７の詳細Ｘの拡大図である。
【符号の説明】
【００１７】
１  スライドチャンネル、  ２  固定装置、  ３  下部構造体、  ４  異形材、  ５  クランプ部材、  ６  端面の制限部、  ７  孔、  ８  接続プレート、  ９  外壁、  １０  内壁、  １１  歯列、  １２  外壁、  １３  内壁、  １４  端面、  １５  ストッパ面、  １６  面、  １７  外壁、  １８  カバーキャップ、  １９  側面、  ２０  突出部、  ２１  凹部、  Ｘ  詳細
【図１】
2007523277.tif 000003
【図２】
2007523277.tif 000004
【図３】
2007523277.tif 000005
【図４】
2007523277.tif 000006
【図５】
2007523277.tif 000007
【図６】
2007523277.tif 000008
【図７】
2007523277.tif 000009
【図８】
2007523277.tif 000010
【国際調査報告】
2007523277.tif 000011
2007523277.tif 000012
2007523277.tif 000013
2007523277.tif 000014
2007523277.tif 000015
2007523277.tif 000016